(57)【要約】【課題】ハードディスクドライブのライトアボートを、小型で安価にかつ従来のシステムを大きく変更しないで防ぐことができる電子機器を提供する。【解決手段】ハードディスクドライブを制御する第一の制御手段と、入力電圧を降圧してハードディスクドライブに供給する降圧手段と、入力電圧により蓄電を行う蓄電手段と、蓄電手段の電圧を昇圧して降圧手段に供給する昇圧手段と、昇圧手段を制御する第二の制御手段と、停電検知手段と、を備えた電子機器であって、第二の制御手段（３−Ｃ）は、第一の制御手段からハードディスクドライブが書込み中であることを示す信号を受けている場合に、停電検知手段から停電の検知信号を受けたときは、第一の制御手段にハードディスクドライブの書込み中断処理を行うよう指示する信号を送るとともに、昇圧手段の動作を開始させるように制御する電子機器により前記課題を解決する。【選択図】図１
2008021345.tif 000002
【特許請求の範囲】
【請求項１】
ハードディスクドライブと、
前記ハードディスクドライブを制御する第一の制御手段と、
入力電圧を降圧して前記ハードディスクドライブに供給する降圧手段と、
前記入力電圧により蓄電を行う蓄電手段と、
前記蓄電手段の電圧を昇圧して前記降圧手段に供給する昇圧手段と、
前記昇圧手段を制御する第二の制御手段と、
停電を検知する停電検知手段と、
を備えた電子機器であって、
前記第二の制御手段は、前記第一の制御手段から前記ハードディスクドライブが書込み中であることを示す信号を受けている場合に、前記停電検知手段から停電の検知信号を受けたときは、前記第一の制御手段に前記ハードディスクドライブの書込み中断処理を行うよう指示する信号を送るとともに、前記昇圧手段の動作を開始させるように制御することを特徴とする電子機器。
【請求項２】
請求項１に記載の電子機器において、
前記停電検知手段は前記降圧手段の入力電圧により停電を検知することを特徴とする電子機器。
【請求項３】
請求項１または２に記載の電子装置において、
前記ハードディスクドライブと前記第一の制御手段と前記降圧手段は第一のモジュールを構成し、
前記蓄電手段と前記昇圧手段と前記第二の制御手段と前記停電検知手段は、第二のモジュールを構成し、
前記第二のモジュールは、前記第一のモジュールと着脱自在に構成されていることを特徴とする電子機器。
【請求項４】
請求項１乃至３のいずれかに記載の電子機器において、
前記降圧手段は、前記入力電圧を降圧して前記第一の制御手段および前記第二の制御手段に供給することを特徴とする電子機器。
【請求項５】
電子機器の通常動作時の電力を供給する第一の電源装置と、
前記電子機器の待機時の電力を第一の制御手段に供給する第二の電源装置と、
停電を検知する停電検知手段と、
ハードディスクドライブと、
前記ハードディスクドライブを制御する第一の制御手段と、
前記第一の電源装置の出力電圧を降圧して前記ハードディスクドライブに供給する降圧手段と、
前記第一の電源装置の出力電圧により蓄電を行う蓄電手段と、
前記蓄電手段の電圧を昇圧して前記降圧手段に供給する昇圧手段と、
前記昇圧手段の動作を制御する第二の制御手段と、
を備えた電子機器であって、
前記第二の制御手段は、前記第一の制御手段から前記ハードディスクドライブが書込み中であることを示す信号を受けている場合に、前記停電検知手段から停電の検知信号を受けたときは、前記第一の制御手段に前記ハードディスクドライブの書込み中断処理を行うよう指示する信号を送るとともに、前記昇圧手段の動作を開始させるように制御することを特徴とする電子機器。
【請求項６】
請求項５に記載の電子機器において、
前記停電検知手段は、前記第一、第二の電源装置の入力電圧により停電を検知することを特徴とする電子機器。
【請求項７】
請求項５または６に記載の電子機器において、
前記ハードディスクドライブと前記第一の制御手段と降圧手段は第一のモジュールを構成し、
前記蓄電手段と前記昇圧手段と前記第二の制御手段は第二のモジュールを構成し、
前記第二のモジュールは、前記第一のモジュールと着脱自在に構成されていることを特徴とする電子機器。
【請求項８】
請求項５乃至７のいずれかに記載の電子機器において、
前記降圧手段は、前記入力電圧を降圧して前記第一の制御手段および前記第二の制御手段に供給することを特徴とする電子機器。
【発明の詳細な説明】
【技術分野】
【０００１】
本発明は、ハードディスクドライブを備えた電子機器に関し、特にその停電時のハードディスクドライブの制御に関するものである。
【背景技術】
【０００２】
近年の電子機器においては、大容量のデジタルデータを扱うものが急速に増えており、このような機器ではハードディスクドライブ（以下ＨＤＤと記すこともある）を使用することがほぼ必須となってきている。
【０００３】
しかしながら、ＨＤＤでは“ライトアボート”と呼ばれる以下のような問題が発生する。
書込み（ライト）中の予測しないタイミングで電源が落とされることにより、ライトがセクタの途中で終了してしまうためにライトエラーが発生し、不良セクタができる。その後、その不良セクタをリードすることができなくなり、ＨＤＤエラーが生じてしまう。
このようなケースで最悪の場合には、ＨＤＤをフォーマットする必要があるためユーザーのデータが消えてしまうおそれがある。
【０００４】
このような問題を回避するため、重要なデータを大量に扱うサーバーなどのシステムにおいては、電子機器の電源入力部に無停電電源を設けて停電時に一定期間電力供給を行う手法が一般的に知られている。
【０００５】
図７に従来の無停電電源を用いたシステム構成の一例を示す。
電源装置１は、一般的にスイッチング電源が用いられ、商用電源を入力して整流平滑後高速で絶縁トランスをスイッチングすることによって電力変換を行い、コントローラ２００への電力供給を行っている。コントローラ２００の入力部には内部で使用するデバイスを動作させるための電圧を生成するための降圧コンバータ２−Ａが設けられ、ＨＤＤ２−Ｃにもここから電力供給を行っている。制御部２−ＢはＨＤＤ２−Ｃの動作を制御している。
【０００６】
この構成では電源装置１の入力側に無停電電源１００を設けており、商用電源の停電が発生すると、この無停電電源１００による電力バックアップが始まり、この時コントローラ２００に停電検知信号１０１を送る。コントローラ２００は停電検知信号１０１を受けるとＨＤＤ２−Ｃの書込みを終了する処理を開始する。
【０００７】
まず、制御部２−ＢのＣＰＵに割り込みを発生させ、制御部２−Ｂを介してＨＤＤ２−Ｃへリセットをかける。
ＨＤＤ２−Ｃにリセットがかかり、ＨＤＤ２−Ｃのライトが終了すると無停電電源１００による電源のバックアップを終了させる。
以上のような手順によりライトアボートが発生するのを防いでいる。
【０００８】
また、特許文献１では、停電時にバックアップ用コンデンサに蓄えられた電力で動作を保持し、この間に揮発性メモリに保存されているディスクキャッシュを不揮発性メモリに移動する手法が紹介されている。
【特許文献１】特開平６−３０９２３４号公報
【発明の開示】
【発明が解決しようとする課題】
【０００９】
前述した従来例の手法では以下のような問題がある。
電源入力部に無停電電源を設ける手法では、通常動作時の電子機器の最大電力を供給できるだけの大電流経路を無停電電源内に確保し、なおかつ商用電源と接続される一次回路となるので、高耐圧で世界各国の安全規格を満たす部品を使用する必要もある。よって、大型で高価になり、設計の制約も大きいものとなってしまう。
特許文献１に記載の構成ではメモリの移動を行っているが、前述したライトアボートを回避することはできない。
【００１０】
本発明は、このような状況のもとでなされたもので、ハードディスクドライブのライトアボートを、小型で安価にかつ従来のシステムを大きく変更しないで防ぐことができる電子機器を提供することを課題とするものである。
【課題を解決するための手段】
【００１１】
前記課題を解決するため、本発明では、電子機器を次の（１）、（２）のとおりに構成する。
【００１２】
（１）ハードディスクドライブと、
前記ハードディスクドライブを制御する第一の制御手段と、
入力電圧を降圧して前記ハードディスクドライブに供給する降圧手段と、
前記入力電圧により蓄電を行う蓄電手段と、
前記蓄電手段の電圧を昇圧して前記降圧手段に供給する昇圧手段と、
前記昇圧手段を制御する第二の制御手段と、
停電を検知する停電検知手段と、
を備えた電子機器であって、
前記第二の制御手段は、前記第一の制御手段から前記ハードディスクドライブが書込み中であることを示す信号を受けている場合に、前記停電検知手段から停電の検知信号を受けたときは、前記第一の制御手段に前記ハードディスクドライブの書込み中断処理を行うよう指示する信号を送るとともに、前記昇圧手段の動作を開始させるように制御する電子機器。
【００１３】
（２）電子機器の通常動作時の電力を供給する第一の電源装置と、
前記電子機器の待機時の電力を第一の制御手段に供給する第二の電源装置と、
停電を検知する停電検知手段と、
ハードディスクドライブと、
前記ハードディスクドライブを制御する第一の制御手段と、
前記第一の電源装置の出力電圧を降圧して前記ハードディスクドライブに供給する降圧手段と、
前記第一の電源装置の出力電圧により蓄電を行う蓄電手段と、
前記蓄電手段の電圧を昇圧して前記降圧手段に供給する昇圧手段と、
前記昇圧手段の動作を制御する第二の制御手段と、
を備えた電子機器であって、
前記第二の制御手段は、前記第一の制御手段から前記ハードディスクドライブが書込み中であることを示す信号を受けている場合に、前記停電検知手段から停電の検知信号を受けたときは、前記第一の制御手段に前記ハードディスクドライブの書込み中断処理を行うよう指示する信号を送るとともに、前記昇圧手段の動作を開始させるように制御する電子機器。
【発明の効果】
【００１４】
本発明によれば、ハードディスクドライブのライトアボートを小型で安価にかつ従来のシステムを大きく変更しないで防ぐことができる。
【発明を実施するための最良の形態】
【００１５】
以下、本発明を実施するための最良の形態を、電子機器の実施例により詳しく説明する。
【実施例１】
【００１６】
実施例１である“電子機器”について図１〜４を用いて説明する。
図１は、実施例１の要部構成を示すブロック図である。
図２は、停電時のハードディスクドライブ（ＨＤＤ）の処理を示すフローチャートである。
図３は、停電時の各部の電圧波形を示す図である。
図４は、停電時にハードディスクドライブに供給される電源電圧波形を示す図である。
【００１７】
まず、図１の構成について説明する。
商用電源より電源装置１に電力が供給されると、電源装置１からは所定の電圧が出力される。逆流防止素子２−Ｄを通過し、降圧コンバータ２−Ａに入力された電圧は、更に制御部２−Ｂ、制御部３−ＣやＨＤＤ２−Ｃを駆動するための電圧に降圧され、制御部２−Ｂ、ＨＤＤ２−Ｃの動作が始まる。
【００１８】
制御部２−Ｂは通常動作時にはバックアップ電源モジュール３内の制御部３−Ｃに対してＨＤＤ２−Ｃの動作状態をＡｃｔｉｖｅ信号により知らせている。
この時昇圧コンバータ３−Ｂのオン／オフ信号はオフ側に制御されており、昇圧コンバータ３−Ｂは動作を停止している。
【００１９】
一方バックアップ電源モジュール３の電源入力部を見てみると、電源装置１からの出力は、逆流防止素子３−Ｆを通過して蓄電部３−Ａに充電され、また、逆流防止素子３−Ｆ手前から分岐して停電検知部３−Ｄにも供給されている。降圧コンバータ２−Ａからの電圧は制御部３−Ｃにも供給されている。
【００２０】
蓄電部３−Ａは大容量のアルミ電解コンデンサや電気二重層コンデンサを用いると小型に実現可能であり、ＨＤＤ２−Ｃの書込み停止までに要する時間とその間に使用する電力量に応じて最適な容量、サイズの物を選定すればよい。
また、蓄電部３−Ａ出力は昇圧コンバータ３−Ｂに入力されている。
【００２１】
次に図２のフローチャートに従って本実施例の動作を説明する。このフローチャートの処理は、制御部３−Ｃにより行われる。
まず、通常動作時には停電検知部３−Ｄは停電を検知しておらず、昇圧コンバータ３−Ｂは動作を停止しているため、降圧コンバータ２−Ａへの電力供給は電源装置１からのみ行われている。
【００２２】
ここで商用電源に停電が発生した場合、図３の上側波形のように電源装置１の出力電圧は装置自身の出力保持時間経過後低下を始め、０Ｖに向かって収束する。
電源装置１の出力電圧が規定値を下回ると停電検知部３−Ｄが停電を検知し（ステップ１（図ではＳ１と略記する）参照、以下同様）、この時ＨＤＤ２−Ｃが書込み処理中で無ければそのまま何もせずにシステム停止となる。
【００２３】
ＨＤＤ２−Ｃが書込み処理をしている場合（ステップ２）、制御部３−Ｃは、昇圧コンバータ３−Ｂへオン信号を送り（ステップ３）、コントローラ２の制御部２−Ｂに対してはＨＤＤ２−Ｃの停止命令Ｉｎｔｅｒｒｕｐｔ信号を送る（ステップ４）。
【００２４】
この時既に電源装置１からの電力供給が途絶えているが、昇圧コンバータ３−Ｂの入力側には蓄電部３−Ａから電力が供給される。よって、降圧コンバータ２−Ａの入力側には電源装置１に代わって昇圧コンバータ３−Ｂから電力が供給され、降圧コンバータ２−Ａ，制御部２−Ｂ，ＨＤＤ２−Ｃは、電源装置１からの電圧低下によって動作停止することなく動作を継続する。
【００２５】
一例を挙げてみる。
停電検知からＨＤＤ２−Ｃの停止処理開始までの時間・・・１０ｍｓｅｃ．
ＨＤＤ２−Ｃがキャッシュデータをディスクに書き込む時間・・・２００ｍｓｅｃ．
ばらつきを考慮して保持目標時間を  ２５０ｍｓｅｃ．とする。
この間ＨＤＤ２−Ｃが消費する電力・・・１０Ｗ（５Ｖ，２Ａ）
この間制御部２−Ｂ、３−Ｃが消費する電力・・・５Ｗ（５Ｖ，１Ａ）
降圧コンバータ２−Ａの出力電圧・・・５Ｖ
電源装置１の出力電圧・・・１２Ｖ
昇圧コンバータ３−Ｂの最低入力電圧・・・２Ｖ
この時必要な静電容量・・・Ｃ＝（ｉ×ｔ）／ΔＶ＝（３×０．２５）／（１２−２）＝０．０７５Ｆ
以上より０．１Ｆ程度の容量のコンデンサを選定すれば十分な保持時間を確保することが可能である。
【００２６】
この時の各部電圧の変化を図３、図４を用いて説明する。
図３下側波形は昇圧コンバータ３−Ｂの出力部波形であり、停電検知後に動作を開始し、蓄電部３−Ａからの供給電圧が昇圧コンバータ３−Ｂの最低動作可能電圧以下に低下して動作を停止する様子を示している。
図４には降圧コンバータ２−Ａの入力部電圧波形とＨＤＤ２−Ｃの入力部電源電圧波形を示す。
停電が発生すると降圧コンバータ２−Ａの入力電圧は一旦電圧が低下し始めるが、停電検知により昇圧コンバータ３−Ｂが動作を開始するので再度所定の値に復帰する。
この際、落ち込んだ電圧が降圧コンバータの動作可能な最低入力電圧を下回らないようにタイミング設計しなければならない。
【００２７】
停電検知後、蓄電部３−Ａのエネルギーにより昇圧コンバータ３−Ｂ、降圧コンバータ２−Ａが動作し続ける間に、ＨＤＤ２−Ｃは書込み処理を終了し（ステップ４）、昇圧コンバータ３−５の動作を停止して終了する（ステップ５）。
【００２８】
図１に戻ってその他の部分を説明すると、３−Ｆは停電時に蓄電部３−Ａから停電検知部３−Ｄへの電流流れ込みを防止するための逆流防止素子である。３−Ｅは通常動作時に昇圧コンバータ３−Ｂ側への電流流れ込みを防止する逆流防止素子であり、２−Ｄは停電時に昇圧コンバータ３−Ｂから電源装置１および蓄電部３−Ａへの電流流れ込みを防止するための逆流防止素子である。
【００２９】
以上説明したように、本実施例によれば、停電時には蓄電部に蓄えられた電力を利用してＨＤＤ書込み処理を停止することにより、ハードディスクドライブのライトアボートを小型で安価にかつ従来のシステムを大きく変更しないで防ぐことができる。
【００３０】
また、図１のように構成すれば、バックアップ電源モジュールは付け外しが可能となる。そこで、例えば扱うデータ量が少ない機器構成においてＨＤＤを使用せずにメモリデバイスで代用できるような場合には、バックアップ電源モジュールを実装しない。扱うデータ量が多くＨＤＤを必要とする機器構成になった場合にはバックアップ電源モジュールをアドオンする。といった具合に、ＨＤＤの実装状態に応じて付け外しが可能なオプション設定とすることができるようになる。
【００３１】
なお、制御部２−Ｂ，３−Ｃは、降圧コンバータ２−Ａに限らず、停電の際にも電力供給可能な別電源から電力供給してもよい。
【実施例２】
【００３２】
実施例２である“電子機器”について、図５、図６を用いて説明する。
図５は、実施例２の要部構成を示すブロック図である。
図６は、本実施例における停電時のハードディスクドライブの処理を示すフローチャートである。
【００３３】
近年の電子機器装置は省エネルギー化を図るために、待受け時の微小電力を高効率に供給できる待機時用電源と、通常動作時の大電力時に高効率を発揮する通常動作用電源との複数電源構成となっている場合が多くなっている。
【００３４】
このような構成では、例えばリモコンによりスイッチがオフされたり、一定時間以上使用者が操作を行わなかったために待機モードに切り替った場合に、待機時用電源だけが動作して最低限のバックアップメモリやリモコン待受け回路にのみ電力供給を行っている。
【００３５】
本実施例では、図５に示すように、待機時用電源１−Ａと通常動作用電源１−Ｂに分けて機器の省エネルギー化を図りつつ、ＨＤＤ２−Ｃのライトアボートも回避できる構成としている。
【００３６】
ＨＤＤ２−Ｃは待機時に動作していなくても装置動作に差し支えはないので、図５中では待受け時の消費電力を少しでも低減するために通常動作用電源１−Ｂに接続された降圧コンバータ２−Ａの先に接続している。この降圧コンバータ２−Ａは通常動作用電源１−Ｂの出力を入力としているため、当然のことながら待機時には動作を停止する構成となっている。
【００３７】
本実施例では、電源装置１０、コントローラ２０、バックアップ電源モジュール３０の大きく三つの構成を取っており、電源装置１０は待機時用電源１−Ａと通常動作用電源１−Ｂ、通常電源オンオフ用スイッチＳＷ１と停電検知部１−Ｃにより構成されている。
【００３８】
通常動作用電源１−Ｂの入力部には待機モードと通常モードの切替え用スイッチＳＷ１が実装されており、待機状態ではスイッチＳＷ１は制御部２−Ｂからの切替え信号によりオフされる。つまり通常動作用電源１−Ｂの入力部は切断されることになるので、通常動作用電源１−Ｂより後段はＡＣスイッチを切断した場合と同等の状態になる。
【００３９】
一般的には、待機時に通常動作用電源１−Ｂの出力側をオンオフする方が低電圧スイッチとなり安価に構成可能だが、その場合あくまでも電源の出力部分が切断されているにすぎず、回路そのものは無負荷ながら動作しているため、電力消費は発生している。そこで、大元の電力入力部から切断することにより全ての回路を停止させればより消費電力を少なくできることから本実施例では通常動作用電源１−Ｂの入力部にスイッチを設けている。
【００４０】
また、停電検知部１−Ｃも通常動作用電源または待機時用電源の出力をモニターすることで実現可能であるが、それぞれの電源出力に接続された負荷となるデバイスの動作状態に応じてどちらか一方の電源出力だけが早く低下してしまうことも考えられる。そこで、より正確かつ安定に停電を検知するため、本実施例では電源の入力部に停電検知部を設けている。
【００４１】
次にコントローラ部２０の構成について説明する。
待機時用電源１−Ａの出力は、待機状態で最低限動作していないと通常動作に復帰できない箇所、すなわち待機時動作デバイス２−Ｅ，制御部２−Ｂにのみ電力供給を行っている。
制御部２−Ｂはシステムの頭脳であり、この部分を停止させるわけにはいかない。通常動作用電源１−Ｂのオンオフ制御やＨＤＤ２−Ｃの制御もこの部分が行っている。
【００４２】
また、待機時動作デバイス２−Ｅとした部分はバックアップ用のメモリやリモコンや操作部分等の待受け回路部であり、これらの部分に待機時用電源１−Ａから電力が供給されている。
【００４３】
通常動作用電源１−Ｂの出力は、降圧コンバータ２−Ａを経由してＨＤＤ２−Ｃや制御部２−Ｂ、３−Ｃが最適動作可能な電圧に変換されている。
【００４４】
次にバックアップ電源モジュール３０の構成について説明する。
通常動作用電源１−Ｂ出力から、降圧コンバータ２−Ａに電力供給が行われるとともに、逆流防止素子３−Ｆを経由して蓄電部３−Ａに電力供給が行われる。この蓄電部３−Ａは実施例１と同様にアルミ電解コンデンサや電気二重層コンデンサなどを用いることができる。
【００４５】
蓄電部３−Ａの出力部は昇圧コンバータ３−Ｂに接続されており、昇圧コンバータ３−Ｂは制御部３−Ｃによりオン、オフされる。この昇圧コンバータ３−Ｂの出力部は、逆流防止素子３−Ｅを経由してコントローラ２０の降圧コンバータ２−Ａの入力部に電力供給を行う。
【００４６】
また、停電時には待機用電源１−Ａの出力も低下してしまうため、降圧コンバータ２−Ａの出力を待機用電源１−Ａの出力部に供給できるようにしている。
降圧コンバータ２−Ａの出力部は、逆流防止素子２−Ｆを経由し、スイッチ素子ＳＷ２を介して待機時用電源１−Ａの出力部に接続されている。
【００４７】
スイッチＳＷ２も制御部３−Ｃにより昇圧コンバータ３−Ｂと同じタイミングでオンオフ制御される。つまり、停電を検知して昇圧コンバータ３−Ｂが動作し始めると同時にスイッチＳＷ２がオンされて待機時用電源１−Ａの出力もバックアップされる構成となっている。
【００４８】
次に停電発生時の処理を図６のフローチャートに従って説明する。このフローチャートの処理は、制御部３−Ｃにより行われる。
停電が発生し、停電検知部１−Ｃが検知信号を制御部３−Ｃに送る（ステップ１１）。
この際、装置が待機状態だったとすると、制御部３−Ｃは動作していない、もしくはこちらも待機状態となって一部のみしか動作していない状態となっている。本実施例ではこの状態でＨＤＤ２−Ｃは動作していないこととするのでバックアップ動作は行われずに電源が停止して終了する。
【００４９】
装置が通常動作状態の場合には停電検知後バックアップ動作に入る。
通常動作状態でＨＤＤ２−Ｃが書込み処理中の場合にはコントローラ２０の制御部２−Ｂからバックアップ電源モジュール３０の制御部３−Ｃに対してＡｃｔｉｖｅ信号が送られる（ステップ１３）。
【００５０】
制御部３−Ｃは停電を検知し、かつＡｃｔｉｖｅ信号が来ていればコントローラ２０の制御部２−Ｂに対してＩｎｔｅｒｒｕｐｔ信号を送り、ＨＤＤ２−Ｃの書込みを停止させる。
これと同時に電源をバックアップするために、昇圧コンバータ３−Ｂとスイッチ素子ＳＷ２に対してオン信号を送る（ステップ１４）。
この時通常動作用電源１−Ｂの出力は停電により低下し始めているが、昇圧コンバータ３−Ｂは蓄電部３−Ａに蓄えられたエネルギーによって動作する。
【００５１】
昇圧コンバータ３−Ｂの出力は逆流防止素子３−Ｅを経由して降圧コンバータ２−Ａの入力に電力を供給し始める。通常動作用電源１−Ｂの出力が低下を始めてから昇圧コンバータ３−Ｂが電力供給を始めるまでの間に、降圧コンバータ２−Ａの入力電圧が最低入力電圧を下回らなければ、降圧コンバータ２−Ａの出力電圧が低下することがない。よって、ＨＤＤ２−Ｃ等の動作には影響を及ぼさない。
【００５２】
この時、同時にスイッチ素子ＳＷ２もオンされていて、これにより降圧コンバータ２−Ａの出力は待機時用電源１−Ａの出力部に接続され、待機時用デバイス２−Ｅにも電力供給を始める。
この両方の動作を行うことで、ＨＤＤ２−Ｃ自体と制御部２−Ｂの両方に対するバックアップを行えることになる（ステップ１５）。
【００５３】
ＨＤＤ２−Ｃのキャッシュデータが全てディスクに書き込まれると動作を終了して問題が無いのでコントローラ２０の制御部２−Ｂは、バックアップ電源モジュール３０の制御部３−ＣへのＡｃｔｉｖｅ信号をオフし、システムを停止する（ステップ１６）。
【００５４】
この時、昇圧コンバータ３−Ｂとスイッチ素子ＳＷ２へのオン信号を停止してもよい。しかし、この後わずかな時間経過後には蓄電部３−Ａのエネルギーが消費されて電力供給が途絶えるため、その他特に行わなければならない処理が無ければオン信号を停止せずとも電源オフ状態となる。
【００５５】
以上説明したように、本実施例によれば、待機時用電源を備えるシステムにおいても、ハードディスクドライブのライトアボートを、小型で安価にかつ従来のシステムを大きく変更しないで防ぐことができる。また、図５に示すようなモジュール形態をとることにより、バックアップ機能の後付け、またはオプション設定が可能となり、大きな構成変更をしないで追加モジュールによるＨＤＤのライトアボート防止が可能となる。
【００５６】
なお、実施例２では、停電検知部を電源装置部に配置しているが、これに限らず、バックアップ電源モジュール内に配置してもよい。
【００５７】
また、制御部２−Ｂ，３−Ｃは、降圧コンバータ２−Ａに限らず、停電の際にも電力供給可能な別電源から電源供給してもよい。
【図面の簡単な説明】
【００５８】
【図１】実施例１の要部構成を示すブロック図
【図２】実施例１の動作を示すフローチャート
【図３】実施例１における停電時の各部の電圧波形を示す図
【図４】実施例１における停電時の、ハードディスクドライブに供給される電源電圧波形を示す図
【図５】実施例２の要部構成を示すブロック図
【図６】実施例２の動作を示すフローチャート
【図７】従来例の要部構成を示すブロック図
【符号の説明】
【００５９】
２−Ａ      降圧コンバータ
２−Ｂ      制御部
２−Ｃ      ハードディスクドライブ
３−Ａ      蓄電部
３−Ｂ      昇圧コンバータ
３−Ｃ      制御部
３−Ｄ      停電検知部
【図１】
2008021345.tif 000003
【図２】
2008021345.tif 000004
【図３】
2008021345.tif 000005
【図４】
2008021345.tif 000006
【図５】
2008021345.tif 000007
【図６】
2008021345.tif 000008
【図７】
2008021345.tif 000009